(57)【要約】【課題】表示端末に食器セットを示すサンプル画像を表示し、食器セットの商品サンプルを顧客に提示するときに、商品を効果的にアピールできる提示システムを提供する。【解決手段】  本願に開示する商品サンプルの提示システムは、少なくとも１つの食器を含んでいる食器セット３２のサンプル画像３０を表示端末１に表示することによって、食器セット３２の商品サンプルを顧客に提示する。当該提示システムは、シミュレーション手段２１と、表示制御手段１２とを備える。シミュレーション手段２１は、表示端末１におけるユーザ操作に基づいて、盆に対する食器セット３２のレイアウトと、食材セット３３の食器セット３２に対する盛り付けとをシミュレートする。表示制御手段１２は、シミュレーション結果に基づいて、サンプル画像３０を表示するように、表示端末１の表示部１１を制御する。【選択図】図１
2019191860.tif 000002
【特許請求の範囲】
【請求項１】
少なくとも１つの食器を含んでいる食器セットを示すサンプル画像を表示端末に表示することによって、前記食器セットの商品サンプルを顧客に提示する商品サンプルの提示システムであって、
前記表示端末におけるユーザ操作に基づいて、盆に対する前記食器セットのレイアウトと、少なくとも１つの食材を含んでいる食材セットの前記食器セットに対する盛り付けとをシミュレートするシミュレーション手段と、
前記シミュレーション手段のシミュレーション結果に基づいて、前記盆を示す盆画像、前記食器セットを構成する前記少なくとも１つの食器を示す少なくとも１つの食器画像、及び前記食材セットを構成する前記少なくとも１つの食材を示す少なくとも１つの食材画像を含む前記サンプル画像を表示するように、前記表示端末の表示部を制御する表示制御手段
とを備える商品サンプルの提示システム。
【請求項２】
少なくとも１つの前記盆に対応する少なくとも１つの盆画像データと、少なくとも１つの前記食器に対応する少なくとも１つの食器画像データと、少なくとも１つの前記食材に対応する少なくとも１つの食材画像データとを、各々対応する商品情報と関連付けて格納する格納手段と、
前記ユーザ操作によって入力される検索条件に該当する前記商品情報を前記格納手段から検索する検索手段
とを更に備え、
前記表示制御手段は、
前記検索手段の検索結果に基づいて、少なくとも１つの前記盆、少なくとも１つの前記食器、及び少なくとも１つの前記食材に各々対応するサムネイル画像を前記ユーザ操作によって選択可能に表示するように、前記表示部を制御し、
前記ユーザ操作によって選択される各前記サムネイル画像に対応する、前記盆画像、前記食器画像及び前記食材画像を表示するように、前記表示部を制御する
請求項１に記載の商品サンプルの提示システム。
【請求項３】
前記検索手段の検索結果に基づいて、前記ユーザ操作によって選択可能に前記表示部に表示され、前記ユーザ操作によって選択される少なくとも１つの前記サムネイル画像をブックマークするブックマーク手段
を更に備え、
前記表示制御手段は、
前記ブックマーク手段によってブックマークされる前記少なくとも１つのサムネイル画像を前記ユーザ操作によって選択可能に表示し、前記ユーザ操作によって選択される各前記サムネイル画像に対応する、前記盆画像、前記食器画像及び前記食材画像を表示するように、前記表示部を制御する
請求項２に記載の商品サンプルの提示システム。
【請求項４】
前記シミュレーション手段は、
前記表示制御手段の制御によって前記表示部に表示される各前記食器画像及び各前記食材画像の表示位置を前記ユーザ操作に基づいて再設定する位置設定手段を有する
請求項１から請求項３のいずれか１項に記載の商品サンプルの提示システム。
【請求項５】
前記位置設定手段によって再設定される各前記表示位置を示す位置データ、及び前記シミュレーション結果に対応する前記サンプル画像を示すサンプル画像データの少なくとも一方を保存する保存手段
を更に備える請求項４に記載の商品サンプルの提示システム。
【請求項６】
前記保存手段に保存される各前記位置データ又は前記サンプル画像データに対する送信要求に応じて、前記送信要求を発した前記表示端末に各前記位置データ又は前記サンプル画像データを送信する送信手段
を更に備える請求項５に記載の商品サンプルの提示システム。
【請求項７】
前記シミュレーション手段は、前記ユーザ操作に基づいて、前記食材画像を変形する変形手段を有する
請求項１から請求項６のいずれか１項に記載の商品サンプルの提示システム。
【発明の詳細な説明】
【技術分野】
【０００１】
本発明は、商品サンプルの提示システムに関し、特に、表示端末に食器セットのサンプル画像を表示することによって、食器セットの商品サンプルを顧客に提示する商品サンプルの提示システムに関するものである。
【背景技術】
【０００２】
表示端末に商品のサンプル画像を表示することによって、商品サンプルを顧客に提示する提示システムとして、特許文献１には、指輪、宝石などの身飾品の提示システムが記載されている。特許文献１に記載の提示システムは、サーバと、当該サーバにインターネットを介して接続される表示端末とを備えている。サーバは、多数の身飾品に関する商品情報とサンプル画像とが関連付けられた検索対象データを保持する。
【０００３】
表示端末のオペレータは、顧客の好みに合致しそうな身飾品を検索対象データから検索するように、検索条件を入力する。検索条件に該当する身飾品があると、サーバは、当該身飾品の商品情報とサンプル画像とを表示端末に送信する。表示端末は、サーバから送信された商品情報とサンプル画像とを表示部に表示する。
【０００４】
以上のような提示システムを食器販売に応用すると、顧客の好みに合致しそうな食器のサンプル画像を表示端末に表示することができ、商品サンプルを顧客に提示することができる。
【先行技術文献】
【特許文献】
【０００５】
【特許文献１】特開２０１４−１３０４２６号公報
【発明の概要】
【発明が解決しようとする課題】
【０００６】
しかしながら、特許文献１に記載の提示システムを食器販売に応用しても、１つ１つの食器の商品サンプルを提示できるだけであって、いくつかの食器を含む食器セットが実際に使用されているときの状態を顧客に示すことはできない。従って、顧客は、当該食器セットを使用して料理が提供されるときの状態を具体的なイメージとして把握することができず、顧客に対して商品を効果的にアピールすることができない。なお、食器セットとは、一人が一回の食事で使用するのに適した食器の集合体をいう。食器セットの代表例としては、１つの飯碗、１つの汁椀、１つ又は２つの皿、１つ又は２つの鉢を含む食器セットが挙げられる。
【０００７】
本発明は上記課題に鑑みてなされたものであり、その目的は、表示端末に食器セットを示すサンプル画像を表示し、食器セットの商品サンプルを顧客に提示するときに、商品を効果的にアピールできる提示システムを提供することにある。
【課題を解決するための手段】
【０００８】
本願に開示する商品サンプルの提示システムは、少なくとも１つの食器を含んでいる食器セットを示すサンプル画像を表示端末に表示することによって、前記食器セットの商品サンプルを顧客に提示する。当該提示システムは、シミュレーション手段と、表示制御手段とを備える。前記シミュレーション手段は、前記表示端末におけるユーザ操作に基づいて、盆に対する前記食器セットのレイアウトと、前記食器セットに対する食材セットの盛り付けとをシミュレートする。前記食材セットは、少なくとも１つの食材を含む。前記表示制御手段は、前記シミュレーション手段のシミュレーション結果に基づいて、前記サンプル画像を表示するように、前記表示端末の表示部を制御する。前記サンプル画像は、前記盆を示す盆画像、前記食器セットを構成する前記少なくとも１つの食器を示す少なくとも１つの食器画像、及び前記食材セットを構成する前記少なくとも１つの食材を示す少なくとも１つの食材画像を含む。
【０００９】
本願に開示する提示システムは、格納手段と、検索手段とを更に備える。前記格納手段は、少なくとも１つの前記盆に対応する少なくとも１つの盆画像データと、少なくとも１つの前記食器に対応する少なくとも１つの食器画像データと、少なくとも１つの前記食材に対応する少なくとも１つの食材画像データとを、各々対応する商品情報と関連付けて格納する。前記検索手段は、前記ユーザ操作によって入力される検索条件に該当する前記商品情報を前記格納手段から検索する。そして、本願に開示する提示システムにおいては、前記表示制御手段は、前記検索手段の検索結果に基づいて、少なくとも１つの前記盆、少なくとも１つの前記食器、及び少なくとも１つの前記食材に各々対応するサムネイル画像を前記ユーザ操作によって選択可能に表示するように、前記表示部を制御する。また、前記表示制御手段は、前記ユーザ操作によって選択される各前記サムネイル画像に対応する、前記盆画像、前記食器画像及び前記食材画像を表示するように、前記表示部を制御する。
【００１０】
また、本願に開示する提示システムは、ブックマーク手段を更に備える。前記ブックマーク手段は、前記検索手段の検索結果に基づいて、前記ユーザ操作によって選択可能に前記表示部に表示され、前記ユーザ操作によって選択される少なくとも１つの前記サムネイル画像をブックマークする。そして、本願に開示する提示システムにおいて、前記表示制御手段は、前記ブックマーク手段によってブックマークされる前記少なくとも１つのサムネイル画像を前記ユーザ操作によって選択可能に表示し、前記ユーザ操作によって選択される各前記サムネイル画像に対応する、前記盆画像、前記食器画像及び前記食材画像を表示するように、前記表示部を制御する。
【００１１】
また、本願に開示する提示システムにおいて、前記シミュレーション手段は、位置設定手段を有する。前記位置設定手段は、前記表示制御手段の制御によって前記表示部に表示される各前記食器画像及び各前記食材画像の表示位置を前記ユーザ操作に基づいて再設定する。
【００１２】
また、本願に開示する提示システムは、保存手段を更に備える。前記保存手段は、前記位置設定手段によって再設定される各前記表示位置を示す位置データ、及び前記シミュレーション結果に対応する前記サンプル画像を示すサンプル画像データの少なくとも一方を保存する。
【００１３】
また、本願に開示する提示システムは、送信手段を更に備える。前記送信手段は、前記保存手段に保存される各前記位置データ又は前記サンプル画像データに対する送信要求に応じて、前記送信要求を発した前記表示端末に各前記位置データ又は前記サンプル画像データを送信する。
【００１４】
また、本願に開示する提示システムにおいて、前記シミュレーション手段は、変形手段を有する。前記変形手段は、前記ユーザ操作に基づいて、前記食材画像を変形する。
【発明の効果】
【００１５】
本発明の提示システムによれば、表示端末におけるユーザ操作に基づいて、盆に対する食器セットのレイアウトと、食器セットに対する食材セットの盛り付けとがシミュレートされ、シミュレーション結果に基づいて、サンプル画像が表示端末の表示部に表示される。サンプル画像は、盆を示す盆画像、食器セットを構成する少なくとも１つの食器を示す少なくとも１つの食器画像、及び食材セットを構成する少なくとも１つの食材を示す少なくとも１つの食材画像を含む。
【００１６】
以上によって、実際の商品サンプルを持ち歩くことなく食器セットの商品サンプルを顧客に提示することができ、実際に商品サンプルを持ち歩く場合と比較して、より多量の商品サンプルを容易に提示できる。また、サンプル画像は、食器セットに盛り付けされた食材画像を含む。従って、顧客は、食器セットを使用して料理が提供されるときの状態を具体的なイメージとして把握することができ、顧客に対して商品を効果的にアピールできる。
【図面の簡単な説明】
【００１７】
【図１】本発明の実施形態に係る提示システムを示すブロック図である。
【図２】本発明の実施形態に係るサンプル画像を示す概略図である。
【図３】本発明の実施形態に係る格納手段を示すブロック図である。
【図４】表示部に表示される初期画面を示す概略図である。
【図５】表示部に表示される検索画面を示す概略図である。
【図６】表示部に表示される盆選択画面を示す概略図である。
【図７】表示部に表示される食器選択画面を示す概略図である。
【図８】表示部に表示される食材選択画面を示す概略図である。
【図９】表示部に表示されるシミュレーション画面を示す概略図である。
【図１０】表示部に表示されるマイトレー画面を示す概略図である。
【図１１】表示部に表示されるブックマーク画面を示す概略図である。
【発明を実施するための形態】
【００１８】
以下、本発明に係る商品サンプルの提示システムに関する実施の形態について、添付の図面に基づいて詳しく説明する。なお、以下に説明する実施形態は、本発明を実施するのに好ましい具体例であるから、技術的に種々の限定がなされているが、本発明は、以下の説明において特に発明を限定する旨が明記されていない限り、この形態に限定されるものではない。
【００１９】
［基本原理］
以下、図１、図２を参照して、本発明の基本原理を説明する。図１は、本発明の実施形態に係る商品サンプルの提示システムを示すブロック図である。図２は、本発明の実施形態に係るサンプル画像を示す概略図である。
【００２０】
図１、図２に示すように、実施形態に係る提示システムは、表示端末１と、サーバ装置２とを備える。当該提示システムは、食器セット３２を示すサンプル画像３０を表示端末１に表示することによって、食器セット３２の商品サンプルを顧客に提示する。食器セット３２は、少なくとも１つの食器（Ｄ）を含んでいる。なお、食器セット３２とは、一人が一回の食事で使用するのに適した食器の集合体をいう。食器セット３２の代表例としては、１つの飯碗、１つの汁椀、１つ又は２つの皿、１つ又は２つの鉢を含む食器セットが挙げられる。
【００２１】
実施形態においては、表示端末１とサーバ装置２とは、インターネット３を介して通信可能に接続されるコンピュータであり、各々、中央処理装置と、記憶装置と、ルータなどの通信機器に接続するインタフェースとを有している。表示端末１は、実施形態においては、パソコン、又はスマートフォンなどの携帯情報端末であり、表示部１１と、表示制御手段１２と、操作部１３とを有する。表示部１１は、例えば液晶表示装置である。表示制御手段１２は、画像を表示するように表示部１１を制御する。表示端末１の中央処理装置は、コンピュータプログラムを実行することによって、表示制御手段１２として機能する。操作部１３は、例えばキーボード、マウス又はタッチセンサを含み、表示端末１に対するユーザ操作を受け付ける。
【００２２】
また、図１に示すように、当該提示システムは、シミュレーション手段２１を備える。実施形態においては、シミュレーション手段２１の機能は、サーバ装置２に実装されるウェブアプリケーションが提供する。具体的には、表示端末１において動作するウェブブラウザ上でシミュレーション手段２１の少なくとも一部の機能が実現される。すなわち、表示端末１の中央処理装置とサーバ装置２の中央処理装置とが協調して、シミュレーション手段２１の機能を実現する。
【００２３】
図２のシミュレーション結果画面１００に示すように、シミュレーション手段２１は、表示端末１におけるユーザ操作に基づいて、盆（３１）に対する食器セット３２のレイアウトと、食器セット３２に対する食材セット３３の盛り付けとをシミュレートする。食材セット３３は、少なくとも１つの食材（Ｅ）を含んでいる。表示制御手段１２は、シミュレーション手段２１のシミュレーション結果に基づいて、サンプル画像３０を表示するように、表示部１１を制御する。
【００２４】
サンプル画像３０は、盆画像３１、少なくとも１つの食器画像Ｄ、及び少なくとも１つの食材画像Ｅを含む。盆画像３１は、盆を示す。少なくとも１つの食器画像Ｄは、食器セット３２を構成する少なくとも１つの食器を示す。少なくとも１つの食材画像Ｅは、食材セット３３を構成する少なくとも１つの食材を示す。実施形態では、盆画像３１、食器画像Ｄ、食材画像Ｅは、斜視画像である。
【００２５】
また、図２においては、食器セット３２は、４つの皿に対応する第１食器画像Ｄ１、第２食器画像Ｄ２、第３食器画像Ｄ３、第４食器画像Ｄ４と、鉢に対応する第５食器画像Ｄ５とを含む。食材セット３３は、パイを含む惣菜を示す第１食材画像Ｅ１と、カツを含む惣菜を示す第２食材画像Ｅ２と、スープを示す第３食材画像Ｅ３と、パンを示す第４食材画像Ｅ４と、サラダを示す第５食材画像Ｅ５とを含む。盆画像３１のサイズと食器画像Ｄのサイズとの比は、実物のサイズ比に対応している。例えば、盆の実物の横、縦のサイズが４０×３０（ｃｍ）であり、飯碗の実物の径が１０（ｃｍ）であれば、対応する盆画像３１の横サイズと食器画像Ｄの横サイズとの比は、４：１になる。
【００２６】
以上、図１、図２を参照して説明したように、実施形態によれば、表示端末１におけるユーザ操作に基づいて、盆（３１）に対する食器セット３２のレイアウトと、食器セット３２に対する食材セット３３の盛り付けとがシミュレーション手段２１によってシミュレートされ、シミュレーション手段２１のシミュレーション結果に基づいて、サンプル画像３０を表示するように、表示部１１が表示制御手段１２によって制御される。サンプル画像３０は、盆を示す盆画像３１、食器セット３２を構成する少なくとも１つの食器を示す少なくとも１つの食器画像Ｄ、及び食材セット３３を構成する少なくとも１つの食材を示す少なくとも１つの食材画像Ｅを含む。
【００２７】
以上によって、実際の商品サンプルを持ち歩くことなく食器セット３２の商品サンプルを顧客に提示することができ、実際の商品サンプルを持ち歩く場合と比較して、より多量の商品サンプルを容易に提示できる。また、図２に示すように、サンプル画像３０は、食器セット３２に盛り付けされた食材画像Ｅを含む。従って、顧客は、食器セット３２を使用して料理が提供されるときの状態を具体的なイメージとして把握することができ、顧客に対して商品を効果的にアピールできる。
【００２８】
また、表示端末１は、プリンタに接続可能であり、プリンタによって、サンプル画像３０を記録用紙に形成し、出力することができる。サンプル画像３０を記録用紙に形成するときに、盆画像３１及び食器画像Ｄを実寸に対応する寸法に形成することができ、顧客に対して商品の実寸に即した食器セット３２の商品サンプルを提示できる。
【００２９】
［サーバ装置２］
図１に示すように、サーバ装置２は、格納手段２２と、検索手段２３と、保存手段２４と、送信手段２５と、ブックマーク手段２６とを更に有する。
【００３０】
［格納手段２２］
次に、図３を参照して、格納手段２２を詳細に説明する。図３は、本発明の実施形態に係る格納手段２２を示すブロック図である。図３に示すように、格納手段２２は、少なくとも１つの盆（３１）に対応する少なくとも１つの盆画像データ３１Ｄと、少なくとも１つの食器（Ｄ）に対応する少なくとも１つの食器画像データ３２Ｄと、少なくとも１つの食材（Ｅ）に対応する少なくとも１つの食材画像データ３３Ｄとを、各々対応する商品情報３４と関連付けて格納する。商品情報３４は、後述の盆検索画面、食器検索画面６０、及び食材検索画面において入力可能な検索条件に対応する情報を含む。なお、格納手段２２には、箸又はカトラリーを示す食器画像データ３２Ｄを商品情報３４と関連付けて格納することもできる。
【００３１】
［検索手段２３］
次に、図４〜図８を参照して、検索手段２３を詳細に説明する。図４は、表示部１１に表示される初期画面５０を示す概略図である。図５は、表示部１１に表示される食器検索画面６０を示す概略図である。図６は、表示部１１に表示される盆選択画面７０を示す概略図である。図７は、表示部１１に表示される食器選択画面８０を示す概略図である。図８は、表示部１１に表示される食材選択画面９０を示す概略図である。
【００３２】
検索手段２３は、ユーザ操作によって入力される検索条件に該当する商品情報３４を格納手段２２から検索する。そして、表示制御手段１２は、検索手段２３の検索結果に基づいて、少なくとも１つの盆（３１）、少なくとも１つの食器（Ｄ）、及び少なくとも１つの食材（Ｅ）に各々対応するサムネイル画像をユーザ操作によって選択可能に表示するように、表示部１１を制御する。
【００３３】
具体的には、図４に示すように、表示端末１においてブラウザを立ち上げ、インターネット３を介してサーバ装置２にアクセスすると、表示部１１に初期画面５０が表示される。初期画面５０は、第１検索アイコン５１、第２検索アイコン５２、第３検索アイコン５３、閲覧アイコン５４、保存アイコン５５、送信アイコン５６を含む。表示制御手段１２は、ユーザ操作を受付可能に、第１検索アイコン５１、第２検索アイコン５２、第３検索アイコン５３、閲覧アイコン５４、保存アイコン５５、送信アイコン５６を表示するように、表示部１１を制御する。例えば、各アイコンがマウスクリックされることによって、各アイコンに対応付けられた処理が実行される。
【００３４】
実施形態においては、第１検索アイコン５１に対するユーザ操作によって、図示しない盆検索画面が表示部１１に表示される。第２検索アイコン５２に対するユーザ操作によって、図５に示す食器検索画面６０が表示部１１に表示される。第３検索アイコン５３に対するユーザ操作によって、図示しない食材検索画面が表示部１１に表示される。閲覧アイコン５４、保存アイコン５５、送信アイコン５６については後述する。
【００３５】
図５に示すように、食器検索画面６０は、食器に関する商品情報３４に対する検索条件を入力するための画面であって、用途入力領域６１Ａ、カテゴリ入力領域６１Ｂ、サイズ入力領域６２、価格入力領域６３、及び検索アイコン６４を含む。表示制御手段１２は、用途入力領域６１Ａ、カテゴリ入力領域６１Ｂ、サイズ入力領域６２、価格入力領域６３をユーザ操作によってデータ入力可能に表示し、ユーザ操作を受付可能に、検索アイコン６４を表示するように、表示部１１を制御する。なお、盆検索画面、食材検索画面については、食器検索画面６０と同様であるため、図示説明は省略する。
【００３６】
実施形態においては、用途入力領域６１Ａは、プルダウンメニューであり、予め用意されている食器の用途を示す語句、例えば「飯碗」、「汁椀」、「皿」、「鉢」、・・・が、検索条件としてユーザ操作によって選択可能に表示される。サイズ入力領域６２には、食器のサイズを示す数値が、検索条件として例えばテンキーによって入力可能である。価格入力領域６３には、食器の価格を示す数値が、検索条件として例えばテンキーによって入力可能である。検索アイコン６４は、検索処理の実行を指示するユーザ操作を受付可能に表示される。
【００３７】
カテゴリ入力領域６１Ｂは、実施形態においては、プルダウンメニューであり、予め用意されている食器のコーディネート、又は特殊素材についてのカテゴリを示す語句が、検索条件としてユーザ操作によって選択可能に表示される。例えば、上位カテゴリを示す語句：「シンプルモダン」、「和風」、「洋風」、「中華」、「病院・高齢者施設」、「ＵＤ食器・ＰＰカバー」、「弁当箱・配食容器」、「高強化磁器・強化磁器」、「テーブルグッズ」、「キッズ＆スクール」が検索条件として表示され、上位カテゴリに各々対応する下位カテゴリを示す語句、例えば「シンプルモダン」に対応する下位カテゴリを示す語句：「ウッディ」、「ミナモヴィータ」、・・・が検索条件として表示される。
【００３８】
そして、各上位カテゴリ及び各下位カテゴリに少なくとも１つの食器を対応付けるように、商品情報３４が設定されることによって、食器のコーディネート、又は特殊素材についてのカテゴリに関する検索条件を使用して、食器を検索できる。従って、食器セットのコーディネートが容易になり、顧客の利便性が向上される。
【００３９】
検索手段２３は、検索アイコン６４が例えばマウスクリックされると、検索処理の実行を指示するユーザ操作を受け付けたものとして、検索処理を実行する。検索処理においては、入力された検索条件に該当する商品情報３４が格納手段２２から検索される。具体的には、入力された検索条件に該当しない商品情報３４だけを排除し、残りの商品情報３４は全て検索条件に該当するものとして商品情報３４を格納手段２２から検索する。
【００４０】
表示制御手段１２は、検索手段２３の検索結果に基づいて、図６〜図８に示すように、盆選択画面７０、食器選択画面８０又は食材選択画面９０を表示するように、表示部１１を制御する。
【００４１】
図６に示すように、盆選択画面７０は、図示しない盆検索画面に対応している。盆選択画面７０には、少なくとも１つの盆（３１）に対応する少なくとも１つのサムネイル画像Ｆがユーザ操作によって選択可能に表示される。当該少なくとも１つのサムネイル画像Ｆは、盆検索画面において入力された検索条件に該当する商品情報３４に対応している。図６においては、サムネイル画像Ｆとして、３種類の盆に対応する第１サムネイル画像Ｆ１、第２サムネイル画像Ｆ２、第３サムネイル画像Ｆ３が表示されている。また、盆選択画面７０には、第１チェックボックス４０が各サムネイル画像Ｆに対応して表示される。第１チェックボックス４０は、第１サムネイル画像Ｆ１、第２サムネイル画像Ｆ２、第３サムネイル画像Ｆ３のいずれかを選択するためのユーザ操作を受け付ける。
【００４２】
また、盆選択画面７０には、第１サムネイル画像Ｆ１、第２サムネイル画像Ｆ２、第３サムネイル画像Ｆ３のうち、選択されたサムネイル画像Ｆを示す第４サムネイル画像Ｆ４が表示される。また、盆選択画面７０は、第１サムネイル画像Ｆ１、第２サムネイル画像Ｆ２、第３サムネイル画像Ｆ３、第４サムネイル画像Ｆ４に各々対応する情報表示領域３４Ｄを含む。情報表示領域３４Ｄには、各サムネイル画像Ｆに対応する商品情報３４の少なくとも一部が表示される。また、盆選択画面７０には、確定ボタン６５が表示される。確定ボタン６５は、盆選択画面７０における選択結果を確定するためのユーザ操作を受付可能に表示される。
【００４３】
図７に示すように、食器選択画面８０は、図５に示す食器検索画面６０に対応している。食器選択画面８０には、少なくとも１つの食器（Ｄ）に対応する少なくとも１つのサムネイル画像Ｆがユーザ操作によって選択可能に表示される。当該少なくとも１つのサムネイル画像Ｆは、食器検索画面６０において入力される検索条件に該当する商品情報３４に対応している。図７においては、サムネイル画像Ｆとして、４種類の飯碗に対応する第５サムネイル画像Ｆ５、第６サムネイル画像Ｆ６、第７サムネイル画像Ｆ７、第８サムネイル画像Ｆ８が表示されている。
【００４４】
また、食器選択画面８０には、第１チェックボックス４０が各サムネイル画像Ｆに対応して表示される。第１チェックボックス４０は、第５サムネイル画像Ｆ５、第６サムネイル画像Ｆ６、第７サムネイル画像Ｆ７、第８サムネイル画像Ｆ８の少なくとも１つを選択するためのユーザ操作を受け付ける。また、食器選択画面８０には、第２チェックボックス４１が表示される。第２チェックボックス４１は、選択されたサムネイル画像Ｆに対応する食器画像Ｄを食器セット３２に含ませるか否かを指定するためのユーザ操作を受け付ける。
【００４５】
また、食器選択画面８０は、第５サムネイル画像Ｆ５、第６サムネイル画像Ｆ６、第７サムネイル画像Ｆ７、第８サムネイル画像Ｆ８に各々対応する情報表示領域３４Ｄを含む。情報表示領域３４Ｄには、各サムネイル画像Ｆに対応する商品情報３４の少なくとも一部が表示される。また、食器選択画面８０には、確定ボタン６５が表示される。確定ボタン６５は、食器選択画面８０における選択結果を確定するためのユーザ操作を受付可能に表示される。
【００４６】
図８に示すように、食材選択画面９０は、図示しない食材検索画面に対応している。食材選択画面９０には、少なくとも１つの食材（Ｅ）に対応する少なくとも１つのサムネイル画像Ｆがユーザ操作によって選択可能に表示される。当該少なくとも１つのサムネイル画像Ｆは、食材検索画面において入力される検索条件に該当する商品情報３４に対応している。図８においては、サムネイル画像Ｆとして、４種類の食材に対応する第９サムネイル画像Ｆ９、第１０サムネイル画像Ｆ１０、第１１サムネイル画像Ｆ１１、第１２サムネイル画像Ｆ１２が表示されている。
【００４７】
また、食材選択画面９０には、第１チェックボックス４０が各サムネイル画像Ｆに対応して表示される。第１チェックボックス４０は、第９サムネイル画像Ｆ９、第１０サムネイル画像Ｆ１０、第１１サムネイル画像Ｆ１１、第１２サムネイル画像Ｆ１２の少なくとも１つを選択するためのユーザ操作を受け付ける。また、食材選択画面９０には、第２チェックボックス４１が表示される。第２チェックボックス４１は、選択されたサムネイル画像Ｆに対応する食材画像Ｅを食材セット３３に含ませるか否かを指定するためのユーザ操作を受け付ける。
【００４８】
また、食材選択画面９０は、第９サムネイル画像Ｆ９、第１０サムネイル画像Ｆ１０、第１１サムネイル画像Ｆ１１、第１２サムネイル画像Ｆ１２に各々対応する情報表示領域３４Ｄを含む。情報表示領域３４Ｄには、商品情報３４の少なくとも一部が表示される。また、食材選択画面９０には、確定ボタン６５が表示される。確定ボタン６５は、食材選択画面９０における選択結果を確定するためのユーザ操作を受付可能に表示される。
【００４９】
［シミュレーション手段２１］
次に、図１、図９を参照して、シミュレーション手段２１を詳細に説明する。図９は、本発明の実施形態に係るシミュレーション画面１１０を示す概略図である。シミュレーション画面１１０には、ユーザ操作によって選択される各サムネイル画像Ｆに対応する、盆画像３１、食器画像Ｄ及び食材画像Ｅが表示される。また、シミュレーション画面１１０は、第１リスト表示アイコン７２、第２リスト表示アイコン７３を含む。表示制御手段１２は、ユーザ操作を受付可能に、第１リスト表示アイコン７２、第２リスト表示アイコン７３を表示するように、表示部１１を制御する。第１リスト表示アイコン７２、第２リスト表示アイコン７３の機能については、後述する。
【００５０】
また、シミュレーション手段２１は、図１に示すように、位置設定手段２７及び変形手段２８を有する。位置設定手段２７は、表示制御手段１２の制御によって表示部１１に表示される各食器画像Ｄ及び各食材画像Ｅの表示位置をユーザ操作に基づいて再設定する。変形手段２８は、ユーザ操作に基づいて、食材画像Ｅを拡大や縮小など変形する。
【００５１】
図９においては、盆画像３１と、皿を示す食器画像Ｄと、惣菜を示す食材画像Ｅとがシミュレーション画面１１０に表示されており、食器画像Ｄ及び食材画像Ｅは、ユーザ操作によって、表示位置が変更可能である。なお、盆画像３１の表示位置は、予め決定されており、盆画像３１は例えばシミュレーション画面１１０の中央に表示される。
【００５２】
そして、シミュレーション画面１１０においては、ユーザは、例えばマウスドラッグによって、食器画像Ｄを矢印Ｘ１によって示されるように移動することができる。また、ユーザは、例えばマウスドラッグによって、食材画像Ｅを矢印Ｘ２によって示されるように移動することができる。以上のようなユーザ操作によって、位置設定手段２７は食器画像Ｄと食材画像Ｅの表示位置を再設定する。そして、表示位置の再設定を繰り返すことによって、盆３１に対する食器セット３２のレイアウトがシミュレートされ、食器セット３２に対する食材セット３３の盛り付けがシミュレートされる。
【００５３】
また、食材画像Ｅが例えばマウスクリックされ、当該食材画像Ｅが選択されると、拡縮アイコン５７が表示部１１に表示される。拡縮アイコン５７は、食材画像Ｅを拡大又は縮小するように変形するためのユーザ操作を受付可能に表示される。食材画像Ｅを拡大又は縮小するとき、食材画像Ｅを相似画像として拡大、縮小してもよく、食材画像Ｅにおける縦横の比率を変更するように拡大、縮小してもよい。具体的には、拡縮アイコン５７を例えばマウスドラッグすることによって、当該食材画像Ｅが変形される。
【００５４】
以上のようにして、変形手段２８は、ユーザ操作に基づいて、食材画像Ｅを変形する。従って、食器画像Ｄのサイズに適合するように、食材画像Ｅのサイズ及び外形を調節できる。また、シミュレーション手段２１は、食器画像Ｄ又は食材画像Ｅが互いに重なり合うとき、選択された画像を重なり合っている相手方の画像の上の階層に表示するか下の階層に表示するかを設定する機能を有する。当該機能によれば、斜視画像である食器画像Ｄ又は食材画像Ｅにおける階層の上下関係を正しく設定できる。なお、盆画像３１は、常に食器画像Ｄ及び食材画像Ｅの下の階層に表示される。
【００５５】
以上、図３〜図９を参照して説明したように、実施形態によれば、少なくとも１つの盆（３１）に対応する少なくとも１つの盆画像データ３１Ｄと、少なくとも１つの食器（Ｄ）に対応する少なくとも１つの食器画像データ３２Ｄと、少なくとも１つの食材（Ｅ）に対応する少なくとも１つの食材画像データ３３Ｄとが、格納手段２２によって、各々対応する商品情報３４と関連付けて格納される。また、検索手段２３によって、ユーザ操作によって入力される検索条件に該当する商品情報３４が格納手段２２から検索される。
【００５６】
また、検索手段２３の検索結果に基づいて、少なくとも１つの盆（３１）、少なくとも１つの食器（Ｄ）、及び少なくとも１つの食材（Ｅ）に各々対応するサムネイル画像Ｆをユーザ操作によって選択可能に表示するように、表示部１１が制御される。また、ユーザ操作によって選択される各サムネイル画像Ｆに対応する、盆画像３１、食器画像Ｄ及び食材画像Ｅを表示するように、表示部１１が制御される。以上により、顧客の好みに合致しそうな食器セット３２の商品サンプルを大量の商品サンプルの中から検索し、顧客に迅速に提示できる。
【００５７】
また、図３〜図９を参照して説明したように、実施形態によれば、シミュレーション手段２１の位置設定手段２７によって、各食器画像Ｄ及び各食材画像Ｅの表示位置がユーザ操作に基づいて再設定される。従って、マウスドラッグなどの簡単な操作によって食器セット３２のレイアウトと、食材セット３３の盛り付けとをシミュレートでき、商品を顧客に効果的にアピールするためのサンプル画像３０を容易に作成できる。
【００５８】
また、図３〜図９を参照して説明したように、実施形態によれば、ユーザ操作に基づいて、食材画像Ｅが変形される。従って、食材画像Ｅを様々なサイズの食器（Ｄ）のサイズに適合するように自由に変形でき、様々なサイズの食器（Ｄ）に様々な食材（Ｅ）を盛り付けた状態を示すサンプル画像３０を表示部１１に表示でき、商品をより効果的に顧客にアピールできる。
【００５９】
［保存手段２４］
次に、図１、図２、図１０を参照して、保存手段２４を説明する。図１０は、表示部１１に表示されるマイトレー画面１２０を示す概略図である。図１に示すように、保存手段２４は、位置設定手段２７によって再設定される各表示位置を示す位置データＦ、及びシミュレーション手段２１のシミュレーション結果に対応するサンプル画像３０を示すサンプル画像データ３０Ｄの少なくとも一方を保存する。
【００６０】
例えば、図２に示すシミュレーション結果画面１００において、保存アイコン５５がマウスクリックされると、サンプル画像３０を示すサンプル画像データ３０Ｄが、サーバ装置２の記憶装置に記憶される。その結果、サンプル画像データ３０Ｄが保存手段２４に保存される。又は、サンプル画像３０における少なくとも１つの食器画像Ｄ及び少なくとも１つの食材画像Ｅの各表示位置を示す位置データＦが、サーバ装置２の記憶装置に記憶される。その結果、位置設定手段２７によって再設定される各表示位置を示す位置データＦが保存手段２４に保存される。サンプル画像データ３０Ｄは複数個が保存可能であり、位置データＦも、複数のサンプル画像データ３０Ｄに対応して、複数セットの位置データＦが保存可能である。
【００６１】
保存手段２４に保存される位置データＦ又はサンプル画像データ３０Ｄに対応するサンプル画像３０は、閲覧アイコン５４が例えばマウスクリックされることによって、図１０に示すように、マイトレー画面１２０として閲覧可能になる。図１０においては、マイトレー画面１２０は、２つのサンプル画像３０に対応する２つのサムネイル画像Ｆと、データ表示アイコン５８とを含む。２つのサムネイル画像Ｆは、位置データＦ又はサンプル画像データ３０Ｄに基づいて、表示端末１の中央処理装置又はサーバ装置２の中央処理装置が生成する。
【００６２】
実施形態においては、２つのサンプル画像３０に対応するサムネイル画像Ｆである第１３サムネイル画像Ｆ１３と第１４サムネイル画像Ｆ１４とがユーザ操作受付可能にマイトレー画面１２０に表示されている。例えば、ユーザが第１３サムネイル画像Ｆ１３又は第１４サムネイル画像Ｆ１４をダブルクリックすることによって、ダブルクリックされたサムネイル画像Ｆに対応するサンプル画像３０が図２に示したシミュレーション結果画面１００に表示される。
【００６３】
また、データ表示アイコン５８は、ユーザ操作を受付可能に各サムネイル画像Ｆに対応して表示されている。データ表示アイコン５８が例えばマウスクリックされることによって、当該サムネイル画像Ｆに対応するサンプル画像３０に含まれる盆（３１）及び食器（Ｄ）の商品情報３４と、当該サンプル画像３０に含まれる盆（３１）及び食器（Ｄ）の合計金額とが表示部１１に表示される。合計金額は、商品情報３４に含まれている価格情報に基づいて算出される。合計金額が表示されることによって、顧客に、盆及び食器セット３２の購入費用を知らせることができ、顧客の利便性を向上させることができる。
【００６４】
以上、図１、図２、図１０を参照して説明したように、実施形態によれば、位置設定手段２７によって再設定される各表示位置を示す位置データＦ、及びシミュレーション手段２１のシミュレーション結果に対応するサンプル画像３０を示すサンプル画像データ３０Ｄの少なくとも一方が保存手段２４によって保存される。従って、オペレータが予め作成したサンプル画像３０又は顧客が以前に作成したサンプル画像３０を随時に表示部１１に表示することができ、顧客の好みに合致しそうな商品サンプルを随時に提示することができる。
【００６５】
［送信手段２５］
次に、図１、図１０を参照して、送信手段２５を説明する。送信手段２５は、保存手段２４に保存される各位置データＦ又はサンプル画像データ３０Ｄに対する送信要求に応じて、送信要求を発した表示端末１に各位置データＦ又はサンプル画像データＤを送信する。具体的には、サーバ装置２の中央処理装置が、コンピュータプログラムを実行することによって、送信手段２５として機能する。
【００６６】
実施形態においては、表示端末１は、電子メールを送信するメーラーを備えている。送信アイコン５６が例えばマウスクリックされることによって、表示制御手段１２は、図示しないアドレス入力画面を表示するように、表示部１１を制御する。アドレス入力画面において、送信先の電子メールアドレスが入力され、電子メールの送信指示がなされると、サーバ装置２に対して送信要求を発するためのＵＲＬリンクを含む電子メールがメーラーによって送信される。
【００６７】
ＵＲＬリンクを含む電子メールを受信した表示端末１において、電子メールが開封され、ＵＲＬリンクが例えばマウスクリックされると、サーバ装置２に対して送信要求が発信される。サーバ装置２が当該送信要求を受信すると、送信手段２５は、送信要求を発した表示端末１にＵＲＬリンクに対応する位置データＦ又はサンプル画像データ３０Ｄを送信する。
【００６８】
以上、図１、図１０を参照して説明したように、実施形態によれば、保存手段２４に保存される各位置データＦ又はサンプル画像データ３０Ｄに対する送信要求に応じて、送信要求を発した表示端末１に各位置データＦ又はサンプル画像データ３０Ｄが送信手段２５によって送信される。従って、シミュレーション手段２１によってシミュレーションを行った顧客以外の顧客もサンプル画像３０を閲覧することができ、より多くの顧客に商品を効果的にアピールできる。また、販売者が推奨する食器セット３２の商品サンプルをより多くの顧客に提示することができ、より多くの顧客に商品を効果的にアピールできる。
【００６９】
［ブックマーク手段２６］
次に、図１、図９、図１１を参照して、ブックマーク手段２６を説明する。図１１は、表示部１１に表示されるブックマーク画面１３０を示す概略図である。ブックマーク画面１３０は、リスト表示領域１４０を含む。ブックマーク手段２６は、検索手段２３の検索結果に基づいて、ユーザ操作によって選択可能に表示部１１に表示され、ユーザ操作によって選択される少なくとも１つのサムネイル画像Ｆをブックマークする。具体的には、図６〜図８の選択画面において、チェックされた第１チェックボックス４０に対応するサムネイル画像Ｆが全てブックマークされる。ブックマークされたサムネイル画像Ｆのリストはサーバ装置２の記憶装置に記憶される。
【００７０】
そして、図９に示す第１リスト表示アイコン７２に対するユーザ操作が行われると、図１１に示すように、ブックマークされたサムネイル画像Ｆのうち、盆画像３１及び食器画像Ｄに対応するサムネイル画像Ｆが、リスト表示領域１４０に表示される。リスト表示領域１４０に表示されるサムネイル画像Ｆはユーザ操作を受付可能に表示される。リスト表示領域１４０に表示されるサムネイル画像Ｆがユーザ操作によって選択されると、表示制御手段１２は、選択されたサムネイル画像Ｆに対応する、盆画像３１又は食器画像Ｄを図９に示すシミュレーション画面１１０に表示するように、表示部１１を制御する
【００７１】
また、図９に示す第２リスト表示アイコン７３に対するユーザ操作が行われると、ブックマークされたサムネイル画像Ｆのうち食材画像Ｅに対応するサムネイル画像Ｆが、リスト表示領域１４０に表示される。リスト表示領域１４０に表示されるサムネイル画像Ｆがユーザ操作によって選択されると、表示制御手段１２は、選択されたサムネイル画像Ｆに対応する食材画像Ｅを図９に示すシミュレーション画面１１０に表示するように、表示部１１を制御する
【００７２】
以上、図１、図９、図１１を参照して説明したように、実施形態によれば、検索手段２３の検索結果に基づいて、ユーザ操作によって選択可能に表示部１１に表示され、ユーザ操作によって選択される少なくとも１つのサムネイル画像Ｆがブックマーク手段２６によってブックマークされる。また、ブックマーク手段２６によってブックマークされる少なくとも１つのサムネイル画像Ｆがユーザ操作によって選択可能に表示され、ユーザ操作によって選択される各サムネイル画像Ｆに対応する、盆画像３１、食器画像Ｄ及び食材画像Ｅを表示するように、表示部１１が表示制御手段１２によって制御される。
【００７３】
従って、シミュレーション画面１１０に表示されていない盆及び食器も選択候補として保持することができる。また、選択候補として保持した盆及び食器だけを他の盆及び食器と区別してリスト表示領域１４０に表示できる。また、最終的な食器セット３２に含まれる盆及び食器だけではなく、選択候補にされた盆及び食器に関する情報を収集することもでき、より効果的に顧客に対して商品をアピールできる。
【００７４】
以上、図面（図１〜図１１）を参照しながら本発明の実施形態を説明した。但し、本発明は、上記の実施形態に限られるものではなく、その要旨を逸脱しない範囲で種々の態様において実施することが可能である（例えば、下記に示す（１））。
【００７５】
（１）上記実施形態においては、サーバ装置２に位置データＦ又はサンプル画像データ３０Ｄが保存されたが、表示端末１に保存させることもできる。表示端末１に保存させることによって、メンテナンスによってサーバ装置２の情報が削除されても復元することができる。
【符号の説明】
【００７６】
１…表示端末
１１…表示部
１２…表示制御手段
Ｄ…食器画像
２１…シミュレーション手段
２２…格納手段
２３…検索手段
２４…保存手段
２５…送信手段
２６…ブックマーク手段
２７…位置設定手段
２８…変形手段
３０…サンプル画像
３０Ｄ…サンプル画像データ
３１…盆画像
３１Ｄ…盆画像データ
３２…食器セット
３２Ｄ…食器画像データ
３３…食材セット
３３Ｄ…食材画像データ
３４…商品情報
【図１】
2019191860.tif 000003
【図２】
2019191860.tif 000004
【図３】
2019191860.tif 000005
【図４】
2019191860.tif 000006
【図５】
2019191860.tif 000007
【図６】
2019191860.tif 000008
【図７】
2019191860.tif 000009
【図８】
2019191860.tif 000010
【図９】
2019191860.tif 000011
【図１０】
2019191860.tif 000012
【図１１】
2019191860.tif 000013